(57)【要約】  防食化合物および組成物は、金属腐食を防止するための方法において使用され得る。より具体的には、この方法は、金属と接触している防食組成物を水性系に接触させることを含む。防食組成物は、置換および／または水素化ベンゾトリアゾールおよびトリルトリアゾールを含む。【特許請求の範囲】
【請求項１】
金属腐食を防止する方法であって、前記方法は金属と接触する水性系と有効量の防食組成物を接触させることを含み、前記防食組成物は、アルキルベンゾトリアゾール、アルキルトリルトリアゾール、アルコキシベンゾトリアゾール、アルコキシトリルトリアゾール、ニトロベンゾトリアゾール、ニトロトリルトリアゾール、ハロベンゾトリアゾール、ハロトリルトリアゾール、水素化ベンゾトリアゾール、水素化トリルトリアゾール、これらの酸もしくは塩、またはこれらの組み合わせを含み、前記水性系はブラインを含み、かつ酸性ｐＨを有する、方法。
【請求項２】
ブラインを含み、酸性ｐＨを有し、金属と接触している水性系における金属腐食を防止するための防食組成物の使用であって、前記防食組成物は、アルキルベンゾトリアゾール、アルキルトリルトリアゾール、アルコキシベンゾトリアゾール、アルコキシトリルトリアゾール、ニトロベンゾトリアゾール、ニトロトリルトリアゾール、ハロベンゾトリアゾール、ハロトリルトリアゾール、水素化ベンゾトリアゾール、水素化トリルトリアゾール、これらの酸もしくは塩、またはこれらの組み合わせを含む、使用。
【請求項３】
前記防食組成物がリンを含まない、請求項１または２に記載の方法または使用。
【請求項４】
前記アルキルベンゾトリアゾールは、アゾールの窒素原子または芳香環の炭素原子に結合した１〜６個のアルキル置換基を有し、前記アルキル置換基はＣ1〜Ｃ12アルキル基である、請求項１〜３のいずれか一項に記載の方法または使用。
【請求項５】
前記アルキルベンゾトリアゾールは、ブチルベンゾトリアゾール、ペンチルベンゾトリアゾール、ヘキシルベンゾトリアゾール、ヘプチルベンゾトリアゾール、オクチルベンゾトリアゾール、またはこれらの組み合わせである、請求項４に記載の方法または使用。
【請求項６】
前記アルキルトリルトリアゾールは、アゾールの窒素原子または芳香環の炭素原子に結合した１〜５個のアルキル置換基を有し、前記アルキル置換基はＣ1〜Ｃ12のアルキル基である請求項１〜３のいずれか一項に記載の方法または使用。
【請求項７】
前記アルキルトリルトリアゾールは、ブチルトリルトリアゾール、ペンチルトリルトリアゾール、ヘキシルトリルトリアゾール、ヘプチルトリルトリアゾール、オクチルトリルトリアゾール、またはこれらの組み合わせである、請求項６に記載の方法または使用。
【請求項８】
前記アルコキシベンゾトリアゾールは、アゾールの窒素原子または芳香環の炭素原子に結合した１〜６個のアルキル置換基を有し、前記アルキル置換基がＣ1〜Ｃ12のアルキル基である、請求項１〜３のいずれか一項に記載の方法または使用。
【請求項９】
前記アルコキシベンゾトリアゾールは、ブトキシベンゾトリアゾール、ペントキシベンゾトリアゾール、ヘキソキシベンゾトリアゾール、ヘプトキシベンゾトリアゾール、オクトキシベンゾトリアゾール、またはこれらの組み合わせである、請求項８に記載の方法または使用。
【請求項１０】
前記ニトロベンゾトリアゾールは、芳香環の１個以上の炭素原子に結合したニトロ基を有し、アゾールの窒素原子または芳香環の炭素原子に結合したアルキル置換基、アルコキシ置換基、またはハロ置換基を有する、請求項１〜３のいずれか一項に記載の方法または使用。
【請求項１１】
前記ニトロベンゾトリアゾールは、３−ニトロベンゾトリアゾール、４−ニトロベンゾトリアゾール、５−ニトロベンゾトリアゾール、６−ニトロベンゾトリアゾール、またはこれらの組み合わせである、請求項１０に記載の方法または使用。
【請求項１２】
前記ハロベンゾトリアゾールは、芳香族環の１個以上の炭素原子に結合したハロ基を有し、アゾールの窒素原子に結合したアルキルもしくはアルコキシ置換基、または芳香環の炭素原子に結合したアルキル置換基、アルコキシ置換基、もしくはニトロ置換基を有する、請求項１〜３のいずれか一項に記載の方法または使用。
【請求項１３】
前記ハロベンゾトリアゾールは、３−ハロベンゾトリアゾール、４−ハロベンゾトリアゾール、５−ハロベンゾトリアゾール、６−ハロベンゾトリアゾール、またはこれらの組み合わせである、請求項１２に記載の方法または使用。
【請求項１４】
前記ハロベンゾトリアゾールは、フルオロベンゾトリアゾール、クロロベンゾトリアゾール、ブロモベンゾトリアゾール、ヨードベンゾトリアゾール、またはこれらの組み合わせである、請求項１２または１３に記載の方法または使用。
【請求項１５】
前記水素化ベンゾトリアゾールは、前記ベンゾトリアゾールの１つ以上の二重結合を横切って付加された１個以上の追加の水素原子を有する、請求項１〜３のいずれか一項に記載の方法または使用。
【請求項１６】
前記水素化トリルトリアゾールは、前記トリルトリアゾールの１つ以上の二重結合を横切って付加された１個以上の追加の水素原子を有する、請求項１〜３のいずれか一項に記載の方法または使用。
【請求項１７】
前記水性系は、約２，０００〜約１００，０００マイクロモー／ｃｍの導電率を有する、請求項１〜１６のいずれか一項に記載の方法または使用。
【請求項１８】
前記水性系は、５未満のｐＨを有する、請求項１〜１７のいずれか一項に記載の方法または使用。
【請求項１９】
前記水性系は、３未満のｐＨを有する、請求項１８に記載の方法または使用。
【請求項２０】
前記水性系は、２未満のｐＨを有する、請求項１８に記載の方法または使用。
【請求項２１】
前記水性系は、約８０℃〜約４００℃の温度を有する、請求項１〜２０のいずれか一項に記載の方法または使用。
【請求項２２】
前記水性系は、約１２０℃〜約３００℃の温度を有する、請求項２１に記載の方法または使用。
【請求項２３】
前記水性系は、フルオロ無機アニオンを有する窒素塩基の塩とさらに接触される、請求項１〜２２のいずれか一項に記載の方法または使用。
【請求項２４】
前記フルオロ無機アニオンは、ホウ酸アニオンである、請求項２３に記載の方法または使用。
【請求項２５】
前記フルオロ無機アニオンは、テトラフルオロホウ酸塩、ヘキサフルオロリン酸塩、またはこれらの組み合わせである、請求項２３に記載の方法または使用。
【請求項２６】
前記窒素塩基は、尿素、ビウレット、アルキル尿素、アルカノールアミン、アルキルアミン、ジアルキルアミン、トリアルキルアミン、アルキルジアミン、アルキルトリアミン、アルキルテトラミン、ポリアミン、アクリルアミド、ポリアクリルアミド、ビニルピロリドン、ポリビニルピロリドン、またはこれらの組み合わせである、請求項２３〜２５のいずれか一項に記載の方法または使用。
【請求項２７】
前記窒素塩基は、尿素を含む、請求項２６に記載の方法または使用。
【請求項２８】
前記フルオロ無機アニオンは、テトラフルオロホウ酸塩を含み、前記窒素塩基は尿素を含み、前記塩を調製するために使用される尿素対テトラフルオロホウ酸塩のモル比は１：３〜３：１である、請求項２３〜２７に記載の方法または使用。
【請求項２９】
前記金属は、炭素鋼を含む、請求項１〜２８のいずれか一項に記載の方法または使用。
【請求項３０】
前記金属は、機器内に収容されている、請求項１〜２９のいずれか一項に記載の方法または使用。
【請求項３１】
前記機器が、ボイラー、蒸気発生器、蒸発器、熱交換器、冷却コイル、チラー、管束、タンク、サンプ、格納容器、ポンプ、分配プレート、地熱系、生産井、注入井、蒸気分離器、バイナリー地熱ユニット、移送管、油井、または深部注入井である、請求項３０に記載の方法または使用。
【請求項３２】
前記機器が、蒸発器、砂糖製造系、エタノール製造系、蒸気発生器、熱回収系、または軟水化装置である、請求項３１に記載の方法または使用。
【発明の詳細な説明】
【技術分野】
【０００１】
例えば金属腐食を防止するための方法において、化合物および組成物が提供され、そして使用され得る。方法は、有効量の防食組成物を金属と接触している水性系と接触させることを含む。防食組成物は、置換および／または水素化ベンゾトリアゾールおよびトリルトリアゾールを含む。
【背景技術】
【０００２】
水性媒体中の金属表面の腐食は、石油およびガス、食品および飲料、洗濯および消毒、パルプおよび紙、発電、製造、ならびに公益事業などの産業にとって長い間問題となってきた。例えば、石油およびガスの生産中に、ブライン、有機酸、二酸化炭素、硫化水素、および微生物などのいくつかの腐食性成分が様々な容量で存在することはよく知られている。これらの過酷な条件は、表面の孔食、脆化、および一般的な金属の損失によって証明されるように、激しい腐食を引き起こす可能性がある。金属表面は、クロム鋼、フェライト合金鋼、オーステナイト系ステンレス鋼、析出硬化型ステンレス鋼、高ニッケル含有鋼、銅、および炭素鋼を含む高合金鋼から構成することができる。
【０００３】
一般に、腐食抑制剤は金属表面上に不動態化層を形成することにより金属を保護する。この不動態化層は金属表面を濡らし、それが今度は流体の腐食性からの金属の接触を防ぐ。典型的には、腐食抑制剤配合物は、アミン、四級アミン、イミダゾリン、リン酸エステル、アミド、カルボン酸、またはこれらの組み合わせを含む様々な脂肪族有機界面活性剤分子を含有する。しかしながら、過酷な環境（例えば、高塩濃度および酸性ｐＨ）では、金属表面上の不動態化層の形成が減少し、金属表面が腐食しやすくなる。
【０００４】
腐食および汚れの軽減は、すべての水系または水性系で有利である。従来技術では、腐食および汚染軽減のために一般に使用されている添加剤のほとんどは、オルトリン酸塩、ポリリン酸塩、または一般にホスホネートとして知られている有機リン酸塩などのリンを含んでいる。リン含有腐食および汚染抑制剤組成物によるいくつかの成功があるが、最近、リンは環境に優しくないことが発見された。その結果、環境保護機関は使用量の削減を義務付けるか、またはその使用を完全に禁止するかのいずれかを行った。
【先行技術文献】
【特許文献】
【０００５】
【特許文献１】米国特許第８２３６２０５号明細書
【発明の概要】
【発明が解決しようとする課題】
【０００６】
したがって、過酷な環境にさらされている金属表面の腐食を抑制するための方法および化学物質を開発する必要がある。さらに、リンまたは亜鉛を必要とせずに金属表面の腐食を抑制するための方法および化学物質を開発する必要がある。
【課題を解決するための手段】
【０００７】
金属腐食を防止するための方法において使用することができる化合物が提供される。この方法は、有効量の防食組成物を金属と接触している水性系と接触させることを含む。防食組成物は、アルキルベンゾトリアゾール、アルキルトリルトリアゾール、アルコキシベンゾトリアゾール、アルコキシトリルトリアゾール、ニトロベンゾトリアゾール、ニトロトリルトリアゾール、ハロベンゾトリアゾール、ハロトリルトリアゾール、水素化ベンゾトリアゾール、水素化トリトリアゾール、これらの酸もしくは塩またはこれらの組み合わせを含み得る。水性系はブラインを含むことができ、酸性ｐＨを有する。
他の対象および特徴は、一部は明らかであり、一部は以下に示される。
【発明を実施するための形態】
【０００８】
過酷な環境において金属の腐食を防ぐ必要があるため、金属表面に不動態化層を形成することができる新しい防食組成物が必要とされている。本明細書に記載の置換および／または水素化ベンゾトリアゾールおよびトリルトリアゾールの防食組成物は、高塩濃度（すなわち、ブライン）を含みかつ酸性ｐＨを有する水性環境と接触する金属表面に腐食防止を提供することができる。
【０００９】
化合物および組成物は、金属腐食を防止するための方法において使用され得る。この方法は、有効量の防食組成物を金属と接触している水性系と接触させることを含む。防食組成物は、アルキルベンゾトリアゾール、アルキルトリルトリアゾール、アルコキシベンゾトリアゾール、アルコキシトリルトリアゾール、ニトロベンゾトリアゾール、ニトロトリトリアゾール、ハロベンゾトリアゾール、ハロトリルトリアゾール、水素化ベンゾトリアゾール、水素化トリトリアゾール  これらの酸もしくは塩、またはこれらの組み合わせを含む。水性系はブラインを含むことができ、酸性ｐＨを有する。
【００１０】
防食組成物はリンを含まない。
【００１１】
アルキルベンゾトリアゾールは、アゾールの窒素原子または芳香環の炭素原子に結合した１〜６個のアルキル置換基を有することができ、このアルキル置換基はＣ1〜Ｃ12アルキル基であり得る。
【００１２】
好ましくは、アルキルベンゾトリアゾールは、ブチルベンゾトリアゾール、ペンチルベンゾトリアゾール、ヘキシルベンゾトリアゾール、ヘプチルベンゾトリアゾール、オクチルベンゾトリアゾール、またはこれらの組み合わせを含み得る。
【００１３】
アルキルトリルトリアゾールはアゾールの窒素原子または芳香環の炭素原子に結合した１〜５個のアルキル置換基を有することができ、このアルキル置換基はＣ1〜Ｃ12のアルキル基であり得る
【００１４】
好ましくは、アルキルトリルトリアゾールは、ブチルトリルトリアゾール、ペンチルトリルトリアゾール、ヘキシルトリルトリアゾール、ヘプチルトリルトリアゾール、オクチルトリルトリアゾール、またはこれらの組み合わせを含むことができる。
【００１５】
ブチルベンゾトリアゾール、ヘキシルベンゾトリアゾール、およびヘプチルベンゾトリアゾールを含む様々なアルキルベンゾトリアゾールが、オハイオ州ブルーアッシュのＷｉｎｃｏｍ  Ｉｎｃ．から市販されている。
【００１６】
アルコキシベンゾトリアゾールは、アゾールの窒素原子または芳香環の炭素原子に結合した１〜６個のアルキル置換基を有することができ、アルキル置換基はＣ1〜Ｃ12アルキル基であり得る。
【００１７】
好ましくは、アルコキシベンゾトリアゾールは、ブトキシベンゾトリアゾール、ペントキシベンゾトリアゾール、ヘキソキシベンゾトリアゾール、ヘプトキシベンゾトリアゾール、オクトキシベンゾトリアゾール、またはこれらの組み合わせを含み得る。
【００１８】
ニトロベンゾトリアゾールは、芳香環の１個以上の炭素原子に結合したニトロ基を有することができ、アゾールの窒素原子または芳香環の炭素原子に結合したアルキル置換基、アルコキシ置換基またはハロ置換基を有することができる。
【００１９】
好ましくは、ニトロベンゾトリアゾールは、３−ニトロベンゾトリアゾール、４−ニトロベンゾトリアゾール、５−ニトロベンゾトリアゾール、６−ニトロベンゾトリアゾール、またはこれらの組み合わせを含み得る。
【００２０】
種々のニトロベンゾトリアゾールは、例えば、硫酸の存在下を含む種々の条件下でベンゾトリアゾールを硝酸と反応させることにより調製することができる。
【００２１】
ハロベンゾトリアゾールは、芳香環の１個以上の炭素原子に結合したハロ基を有することができ、アゾールの窒素原子に結合したアルキルもしくはアルコキシ置換基または芳香環の炭素原子に結合するアルキル置換基、アルコキシ置換基、もしくはニトロ置換基を有することができる。
【００２２】
好ましくは、ハロベンゾトリアゾールは、３−ハロベンゾトリアゾール、４−ハロベンゾトリアゾール、５−ハロベンゾトリアゾール、６−ハロベンゾトリアゾール、またはこれらの組み合わせを含み得る。
【００２３】
より好ましくは、ハロベンゾトリアゾールは、フルオロベンゾトリアゾール、クロロベンゾトリアゾール、ブロモベンゾトリアゾール、ヨードベンゾトリアゾール、またはこれらの組み合わせを含み得る。
【００２４】
種々のハロトリアゾールは、ベンゾトリアゾールまたはトリルトリアゾールを次亜ハロゲン酸と反応させ、ハロゲン化生成物を鉱酸で沈殿させることにより調製することができる。
【００２５】
水素化ベンゾトリアゾールは、ベンゾトリアゾールの１つ以上の二重結合を横切って付加される１つ以上の追加の水素原子を有することができる。
【００２６】
水素化トリルトリアゾールは、トリルトリアゾールの１つ以上の二重結合を横切って付加される１つ以上の追加の水素原子を有することができる。
【００２７】
水素化トリルトリアゾールを含む様々な水素化トリアゾールが、オハイオ州ブルーアッシュのＷｉｎｃｏｍ  Ｉｎｃ．からＷｉｎｔｒｏｌ（登録商標）の商標で入手可能である。
【００２８】
水性系は、約１，０００〜約１００，０００マイクロモー／ｃｍ、約１，０００〜約８０，０００マイクロモー／ｃｍ、約１，０００〜約６０，０００マイクロモー／ｃｍ、約１，０００〜約５０，０００マイクロモー／ｃｍ、１，０００〜約３０，０００マイクロモー／ｃｍ、約２，０００〜約１００，０００マイクロモー／ｃｍ、約２，０００〜約８０，０００マイクロモー／ｃｍ、約２，０００〜約６０，０００マイクロモー／ｃｍ、約２，０００〜約５０，０００マイクロモー／ｃｍ、２，０００〜約３０，０００マイクロモー／ｃｍ、約５，０００〜約１００，０００マイクロモー／ｃｍ、約５，０００〜約８０，０００マイクロモー／ｃｍ、約５，０００〜約６０，０００マイクロモー／ｃｍ、または約５，０００〜約５０，０００マイクロモー／ｃｍ、または約５，０００〜約３０，０００マイクロモー／ｃｍの導電率を有することができる。
【００２９】
水性系は、５未満、４．５未満、４未満、３．５未満、３未満、２．５未満、または２未満のｐＨを有することができる。
【００３０】
好ましくは、水性系は３未満のｐＨを有することができる。
【００３１】
より好ましくは、水性系は２未満のｐＨを有することができる。
【００３２】
水性系は、フルオロ無機アニオンを有する窒素塩基の塩とさらに接触させることができる。
【００３３】
フルオロ無機アニオンは、ホウ酸アニオンを含み得る。
【００３４】
好ましくは、フルオロ無機アニオンは、テトラフルオロホウ酸塩、ヘキサフルオロリン酸塩、またはこれらの組み合わせを含み得る。
【００３５】
窒素塩基は、尿素、ビウレット、アルキル尿素、アルカノールアミン、アルキルアミン、ジアルキルアミン、トリアルキルアミン、アルキルジアミン、アルキルトリアミン、アルキルテトラミン、ポリアミン、アクリルアミド、ポリアクリルアミド、ビニルピロリドン、ポリビニルピロリドンまたはこれらの組み合わせであり得る。
【００３６】
好ましくは、窒素塩基は尿素を含み得る。
【００３７】
フルオロ無機アニオンを有する窒素塩基の塩は、米国特許第８，３８９，４５３号および同第８，７９６，１９５号に開示されており、Ｎａｌｃｏ−Ｃｈａｍｐｉｏｎから製品番号ＥＣ６６９７Ａとして市販されている。
【００３８】
組成物は、フルオロ無機アニオンがテトラフルオロホウ酸塩を含み、窒素塩基が尿素を含み、塩を調製するために使用される尿素対テトラフルオロホウ酸塩のモル比は１：３〜５：１、１：３〜４：１、１：３〜３：１、１：２〜５：１、１：２〜４：１、または１：２〜３：１である。窒素塩基（例えば、尿素）はフルオロ無機酸（例えば、フルオロホウ酸）と反応して、フルオロ無機アニオンを有する窒素塩基の塩（例えば、尿素テトラフルオロホウ酸塩）を形成することができる。しかしながら、組成物中のフルオロ無機酸成分および塩基成分の相対的な量および／または濃度は、組成物の所望の機能および／または必要な洗浄活性に応じて広く変わり得る。したがって、利用される重量比および／または濃度は、所望の洗浄および健康および安全特性を有する組成物および／または系を達成するために選択され得る。
【００３９】
金属は炭素鋼を含むことができる。
【００４０】
金属は機器内に収容することができる。
【００４１】
機器は、ボイラー、蒸気発生器、蒸発器、熱交換器、冷却コイル、チラー、管束、タンク、サンプ、格納容器、ポンプ、分配プレート、地熱系、生産井、注入井、蒸気分離器、バイナリー地熱ユニット、移送管、油井、または深部注入井を含み得る。
【００４２】
好ましくは、本明細書に記載の方法を使用する機器は、蒸発器、砂糖製造系、エタノール製造系、蒸気発生器、熱回収系、または軟水化装置である。
【００４３】
より好ましくは、機器は、蒸気補助重力排水系または周期的蒸気刺激系を含む熱回収系の一部である。
【００４４】
水性系は、約８０℃〜約５００℃、約８０℃〜約４５０℃、約８０℃〜約４００℃、約８０℃〜約３５０℃、約８０℃〜約３００℃、約８０℃〜約２５０℃、約８０℃〜約２００℃、約８０℃〜約１５０℃、約１００℃〜約５００℃、約１００℃〜約４５０℃、約１００℃〜約４００℃、約１００℃〜約３５０℃、約１００℃〜約３００℃、約１００℃〜約２５０℃、約１００℃〜約２００℃、約１００℃〜約１５０℃、約１２０℃〜約５００℃、約１２０℃〜約４５０℃、約１２０℃〜約４００℃、約１２０℃〜約３５０℃、約１２０℃〜約３００℃、約１２０℃〜約２５０℃、約１２０℃〜約２００℃、約１２０℃〜約１５０℃の温度であり得る。
【００４５】
水性系は、約１２０℃〜約３００℃の温度および２未満のｐＨを有することができる。
【００４６】
防食組成物は、さらに任意に、追加の腐食抑制剤、アスファルテン抑制剤、パラフィン抑制剤、スケール抑制剤、浄水剤、分散剤、ガスハイドレート抑制剤、殺生物剤、ｐＨ調整剤、界面活性剤、またはこれらの組み合わせを含むことができる。
【００４７】
防食抑制剤の成分は追加の腐食抑制剤を含むことができる。防食組成物は、防食組成物の総重量に基づいて、約０．１〜２０重量％、０．１〜１０重量％、または０．１〜５重量％の追加の腐食抑制剤を含むことができる。防食組成物は、組成物の総重量に基づいて、０．１〜１０重量パーセントの追加の腐食抑制剤を含むことができる。防食組成物は、防食組成物の総重量に基づいて、１．０重量％、１．５重量％、２．０重量％、２．５重量％、３．０重量％、３．５重量％、４．０重量％、４．５重量％、５．０重量％、５．５重量％、６．０重量％、６．５重量％、７．０重量％、７．５重量％、８．０重量％、８．５重量％、９．０重量％、９．５重量％、１０．０重量％、１０．５重量％、１１．０重量％、１１．５重量％、１２．０重量％、１２．５重量％、１３．０重量％、１３．５重量％、１４．０重量％、１４．５重量％、または１５．０重量％の追加の腐食抑制剤を含むことができる。各系はそれ自体の要件を有することができ、そして組成物中の１種以上の追加の腐食抑制剤の重量パーセントはそれが使用される系によって変更することができる。
【００４８】
追加の腐食抑制剤は、イミダゾリン化合物、四級アンモニウム化合物、ピリジニウム化合物、またはこれらの組み合わせを含むことができる。
【００４９】
追加の腐食抑制剤成分はイミダゾリンを含むことができる。イミダゾリンは、例えば、エチレンジアミン（ＥＤＡ）などのジアミン、ジエチレントリアミン（ＤＥＴＡ）、トリエチレンテトラアミン（ＴＥＴＡ）およびトール油脂肪酸（ＴＯＦＡ）などの長鎖脂肪酸から誘導されるイミダゾリンであり得る。イミダゾリンは、式（Ｉ）のイミダゾリンまたはイミダゾリン誘導体であり得る。代表的なイミダゾリン誘導体としては、式（ＩＩ）のイミダゾリニウム化合物または式（ＩＩＩ）のビス四級化化合物が挙げられる。
【００５０】
追加の腐食抑制剤成分は式（Ｉ）のイミダゾリンを含むことができ、
【化１】
2019523347.tif 000002
式中、Ｒ10は、Ｃ1〜Ｃ20アルキル基またはＣ1〜Ｃ20アルコキシアルキル基であり、Ｒ11は水素、Ｃ1〜Ｃ6アルキル、Ｃ1〜Ｃ6ヒドロキシアルキル、またはＣ1〜Ｃ6アリールアルキルであり、およびＲ12およびＲ13は独立して、水素またはＣ1〜Ｃ6アルキル基である。好ましくは、イミダゾリンは、トール油脂肪酸（ＴＯＦＡ）に典型的なアルキル混合物であるＲ10を含み、そしてＲ11、Ｒ12およびＲ13はそれぞれ水素である。
【００５１】
追加の腐食抑制剤成分は、式（ＩＩ）のイミダゾリニウム化合物を含むことができ、
【化２】
2019523347.tif 000003
式中、Ｒ10は、Ｃ1〜Ｃ20アルキルまたはＣ1〜Ｃ20アルコキシアルキル基であり、Ｒ11およびＲ14は、独立して、水素、Ｃ1〜Ｃ6アルキル、Ｃ1〜Ｃ6ヒドロキシアルキル、またはＣ1〜Ｃ6アリールアルキルであり、Ｒ12およびＲ13は、独立して、水素またはＣ1〜Ｃ6アルキル基であり、Ｘ-は、ハロゲン化物（塩化物、臭化物、ヨウ化物など）、炭酸塩、スルホン酸塩、リン酸塩、または有機カルボン酸（酢酸塩など）のアニオンである。好ましくは、イミダゾリニウム化合物は、１−ベンジル−１−（２−ヒドロキシエチル）−２トール油−２塩化イミダゾリニウムを含む。
【００５２】
追加の腐食抑制剤は、式（ＩＩＩ）を有するビス四級化化合物を含むことができ、
【化３】
2019523347.tif 000004
式中、Ｒ1およびＲ2はそれぞれ独立して、１〜約２９個の炭素原子を有する、非置換の分枝鎖状、鎖状、もしくは環式のアルキルもしくはアルケニル；１〜約２９個の炭素原子を有する、部分的もしくは完全に酸素化、硫化、および／もしくはリン酸化された分岐鎖状、鎖状、もしくは環式のアルキルもしくはアルケニル；またはこれらの組み合わせであり、Ｒ3およびＲ4は、それぞれ独立して、１〜約２９個の炭素原子を有する、非置換の分枝鎖状、鎖状、もしくは環式のアルキレンもしくはアルケニレン；１〜約２９個の炭素原子を有する、部分的もしくは完全に酸素化、硫化、および／もしくはリン酸化された分岐鎖状、鎖状、もしくは環式のアルキレンもしくはアルケニレン；またはこれらの組み合わせであり、Ｌ1およびＬ2はそれぞれ独立して存在しないか、Ｈ、−ＣＯＯＨ、−ＳＯ3Ｈ、−ＰＯ3Ｈ2、−ＣＯＯＲ5、−ＣＯＮＨ2、−ＣＯＮＨＲ5、または−ＣＯＮ（Ｒ5）2であり、Ｒ5は、それぞれ独立して、１〜約１０個の炭素原子を有する分岐鎖状または非分岐鎖状アルキル、アリール、アルキルアリール、アルキルヘテロアリール、シクロアルキル、またはヘテロアリール基であり、ｎは０または１であり、ｎが０のとき、Ｌ2は存在しないかＨであり、ｘは１〜約１０であり、およびｙは１〜約５である。好ましくは、Ｒ1およびＲ2はそれぞれ独立して、Ｃ6〜Ｃ22アルキル、Ｃ8〜Ｃ20アルキル、Ｃ12Ｃ18アルキル、Ｃ16〜Ｃ18アルキル、またはこれらの組み合わせであり、Ｒ3およびＲ4は、Ｃ1〜Ｃ10アルキレン、Ｃ2Ｃ8アルキレン、Ｃ2Ｃ6アルキレン、またはＣ2Ｃ3アルキレンであり、ｎは０または１であり、ｘは２であり、ｙは１であり、Ｒ3およびＲ4は−Ｃ2Ｈ2であり、Ｌ1は−ＣＯＯＨ、−ＳＯ3Ｈ、または−ＰＯ3Ｈ2であり、Ｌ2は存在しないか、Ｈ、−ＣＯＯＨ、−ＳＯ3Ｈ、または−ＰＯ3Ｈ2である。例えば、Ｒ1およびＲ2は、トール油脂肪酸の混合物に由来し、主としてＣ17Ｈ33およびＣ17Ｈ31の混合物であるか、またはＣ16〜Ｃ18アルキルであってもよく、Ｒ3およびＲ4は、−Ｃ2Ｈ2などのＣ2Ｃ3アルキレンであってもよく、ｎは１でありかつＬ2は−ＣＯＯＨであるかまたはｎは０でありかつＬ2は存在しないかもしくはＨであり、ｘは２であり、ｙは１であり、Ｒ3およびＲ4は−Ｃ2Ｈ2であり、およびＬ1は−ＣＯＯＨである。
【００５３】
式（ＩＩＩ）の各基について特定される炭素原子の数は、炭素原子の主鎖を指し、そして置換基によって寄与され得る炭素原子を含まないことを理解されたい。
【００５４】
追加の腐食抑制剤は、式（ＩＩＩ）を有するビス四級化イミダゾリン化合物を含むことができ、式中、Ｒ1およびＲ2はそれぞれ独立してＣ6〜Ｃ22アルキル、Ｃ8〜Ｃ20アルキル、Ｃ12Ｃ18アルキルまたはＣ16〜Ｃ18アルキルまたはこれらの組み合わせであり、Ｒ4は、Ｃ1〜Ｃ10アルキレン、Ｃ2Ｃ8アルキレン、Ｃ2Ｃ6アルキレン、またはＣ2Ｃ3アルキレンであり、ｘは２であり、ｙは１であり、ｎは０であり、Ｌ1は−ＣＯＯＨ、−ＳＯ3Ｈ、または−ＰＯ3Ｈ2であり、Ｌ2は存在しないかまたはＨである。好ましくは、ビス−四級化化合物は、式（ＩＩＩ）を有し、式中、Ｒ1およびＲ2はそれぞれ独立して、Ｃ16〜Ｃ18アルキルであり、Ｒ4は−Ｃ2Ｈ2であり、ｘは２であり、ｙは１であり、ｎは０であり、Ｌ1は−ＣＯＯＨ、−ＳＯ3Ｈ、または−ＰＯ3Ｈ2であり、Ｌ2は存在しないかまたはＨである。
【００５５】
追加の腐食抑制剤は、式（ＩＶ）の四級アンモニウム化合物であってもよく、
【化４】
2019523347.tif 000005
式中、Ｒ1、Ｒ2、およびＲ3は、独立して、Ｃ1〜Ｃ20アルキルであり、Ｒ4は、メチルまたはベンジルであり、およびＸ-はハロゲン化物またはメトサルフェートである。
【００５６】
適切なアルキル、ヒドロキシアルキル、アルキルアリール、アリールアルキルまたはアリールアミンの四級塩は、式［Ｎ+Ｒ5aＲ6aＲ7aＲ8a］［Ｘ-］のアルキルアリール、アリールアルキルおよびアリールアミンの四級塩を含み、式中、Ｒ5a、Ｒ6a、Ｒ7aおよびＲ8aは１〜１８個の炭素原子を含有し、およびＸはＣｌ、ＢｒまたはＩである。四級塩の場合、Ｒ5a、Ｒ6a、Ｒ7aおよびＲ8aはそれぞれ独立してアルキル（例えば、Ｃ1〜Ｃ18アルキル）、ヒドロキシアルキル（例えば、Ｃ1〜Ｃ18ヒドロキシアルキル）、およびアリールアルキル（例えば、ベンジル）であってもよい。アルキルまたはアルキルアリールハライドとの単環式または多環式芳香族アミン塩は、式［Ｎ+Ｒ5aＲ6aＲ7aＲ8a］［Ｘ-］の塩を含み、式中、Ｒ5a、Ｒ6a、Ｒ7aおよびＲ8aは、１〜１８個の炭素原子および少なくとも１つのアリール基を含有し、およびＸはＣｌ、ＢｒまたはＩである。
【００５７】
適切な四級アンモニウム塩には、テトラメチルアンモニウム塩、テトラエチルアンモニウム塩、テトラプロピルアンモニウム塩、テトラブチルアンモニウム塩、テトラヘキシルアンモニウム塩、テトラオクチルアンモニウム塩、ベンジルトリメチルアンモニウム塩、ベンジルトリエチルアンモニウム塩、フェニルトリメチルアンモニウム塩、フェニルトリエチルアンモニウム塩、セチルベンジルジメチルアンモニウム塩、ヘキサデシルトリメチルアンモニウム塩、ジメチルアルキルベンジル第四級アンモニウム塩、モノメチルジアルキルベンジル第四級アンモニウム塩、またはトリアルキルベンジル第四級アンモニウム塩（上記のアルキル基は、約６〜約２４個の炭素原子、約１０〜約１８個の炭素原子、または約１２〜約１６個の炭素原子を有する）が含まれるが、これらに限定されるものではない。四級アンモニウム塩は、ベンジルトリアルキル四級アンモニウム塩、ベンジルトリエタノールアミン四級アンモニウム塩、またはベンジルジメチルアミノエタノールアミン四級アンモニウム塩であり得る。
【化５】
2019523347.tif 000006
追加式において、式中、Ｒ9は、アルキル基、アリール基、またはアリールアルキル基であり、当該アルキル基は、１〜約１８個の炭素原子を有し、そしてＸ-は、塩化物などのハロゲン化物である、追加のピリジニウムベンジル四級アンモニウム塩（ｐｙｒｉｄｉｎｉｕｍ  ｂｅｎｚｙｌ  ｑｕａｔ）。例示的な化合物には、メチルピリジニウムクロリド、エチルピリジニウムクロリド、プロピルピリジニウムクロリド、ブチルピリジニウムクロリド、オクチルピリジニウムクロリド、デシルピリジニウムクロリド、ラウリルピリジニウムクロリド、セチルピリジニウムクロリド、ベンジルピリジニウムクロリドおよびアルキルベンジルピリジニウムクロリド（ここで、アルキルはＣ1〜Ｃ6ヒドロカルビル基である）が含まれる。好ましくは、ピリジニウム化合物はベンジルピリジニウムクロリドを含む。
【００５８】
追加の腐食抑制剤成分は、リン酸エステル、モノマーまたはオリゴマー脂肪酸、またはアルコキシル化アミンなどの追加の腐食抑制剤を含むことができる。
【００５９】
追加の腐食抑制剤成分はリン酸エステルを含むことができる。適切なモノ−、ジ−、およびトリ−アルキル、ならびにモノ−、ジ−および、トリエタノールアミンのアルキルアリールリン酸エステルおよびリン酸エステルは、典型的には１〜約１８個の炭素原子を含有する。好ましいモノ−、ジ−、およびトリアルキルリン酸エステル、アルキルアリールまたはアリールアルキルリン酸エステルは、Ｃ3〜Ｃ18の脂肪族アルコールと五酸化リンとを反応させることによって調製されるものである。リン酸エステル中間体はそのエステル基をトリエチルホスフェートと交換して、より広い分布のアルキルリン酸エステルを生成する。
【００６０】
あるいは、リン酸エステルは、アルキルジエステルを、低分子量アルキルアルコールまたはジオールの混合物と混合することによって作製され得る。低分子量アルキルアルコールまたはジオールは、好ましくはＣ6〜Ｃ10アルコールまたはジオールが含まれる。さらに、１個以上の２−ヒドロキシエチル基を含有するポリオールのリン酸エステルおよびこれらの塩、ならびにポリリン酸または五酸化リンとジエタノールアミンまたはトリエタノールアミンなどのヒドロキシルアミンとの反応により得られるヒドロキシルアミンリン酸エステルが好ましい。
【００６１】
追加の腐食抑制剤成分はモノマーまたはオリゴマー脂肪酸を含むことができる。好ましいモノマーまたはオリゴマー脂肪酸は、Ｃ14〜Ｃ22飽和および不飽和脂肪酸、ならびにそのような脂肪酸のうちの１つ以上を重合することによって得られるダイマー、トリマーおよびオリゴマー生成物である。
【００６２】
追加の腐食抑制剤成分はアルコキシル化アミンを含むことができる。アルコキシル化アミンはエトキシル化アルキルアミンであり得る。アルコキシル化アミンはエトキシル化獣脂アミンであり得る。
【００６３】
防食組成物の成分はアスファルテン抑制剤を含むことができる。防食組成物は、組成物の総重量に基づいて、約０．１〜１０重量％、約０．１〜５重量％、または約０．５〜４重量％のアスファルテン抑制剤を含むことができる。適切なアスファルテン抑制剤としては、脂肪族スルホン酸、アルキルアリールスルホン酸、アリールスルホネート、リグノスルホネート、アルキルフェノール／アルデヒド樹脂および類似のスルホン化樹脂、ポリオレフィンエステル、ポリオレフィンイミド、アルキル、アルキレンフェニルまたはアルキレンピリジル官能基を有するポリオレフィンエステル、ポリオレフィンアミド、アルキル、アルキレンフェニルまたはアルキレンピリジル官能基を有するポリオレフィンアミド、アルキル、アルキレンフェニルまたはアルキレンピリジル官能基を有するポリオレフィンイミド、アルケニル／ビニルピロリドンコポリマー、ポリオレフィンと無水マレイン酸またはビニルイミダゾールとのグラフトポリマー、超分岐ポリエステルアミド、ポリアルコキシル化アスファルテン、両性脂肪酸、コハク酸アルキルの塩、モノオレイン酸ソルビタン、およびポリイソブチレン無水コハク酸が挙げられるが、これらに限定されない。
【００６４】
防食組成物の成分は、追加のパラフィン抑制剤を含み得る。防食組成物は、防食組成物の総重量に基づいて、約０．１〜１０重量％、約０．１〜５重量％、または約０．５〜４重量％の追加のパラフィン抑制剤を含むことができる。適切な追加のパラフィン抑制剤としては、パラフィン結晶改質剤、および分散剤／結晶改質剤の組み合わせが挙げられるが、これらに限定されない。適切なパラフィン結晶改質剤としては、アルキルアクリレートコポリマー、アルキルアクリレートビニルピリジンコポリマー、エチレン酢酸ビニルコポリマー、無水マレイン酸エステルコポリマー、分岐ポリエチレン、ナフタレン、アントラセン、マイクロクリスタリンワックスおよび／またはアスファルテンが挙げられるが、これらに限定されない。適切なパラフィン分散剤としては、ドデシルベンゼンスルホネート、オキシアルキル化アルキルフェノール、およびオキシアルキル化アルキルフェノール樹脂が挙げられるが、これらに限定されない。
【００６５】
防食組成物の成分はスケール抑制剤を含むことができる。防食組成物は、防食組成物の総重量に基づいて、約０．１〜２０重量％、約０．５〜１０重量％、または約１〜１０重量％のスケール抑制剤を含むことができる。適切なスケール抑制剤としては、リン酸塩、リン酸エステル、リン酸、ホスホン酸エステル、ホスホン酸、ポリアクリルアミド、アクリルアミドメチルプロパンスルホネート／アクリル酸コポリマー（ＡＭＰ／ＡＡ）の塩、リン酸化マレイン酸コポリマー（ＰＨＯＳ／ＭＡ）、およびポリマレイン酸／アクリル酸／アクリルアミドメチルプロパンスルホネートターポリマー（ＰＭＡ／ＡＡ／ＡＭＰＳ）の塩が挙げられるが、これらに限定されない。
【００６６】
防食組成物の成分は水浄化剤を含むことができる。防食組成物は、防食組成物の総重量に基づいて、約０．１〜１０重量％、約０．５〜５重量％、または約０．５〜４重量％の水浄化剤を含むことができる。適切な水浄化剤としては、ミョウバン、塩化アルミニウム、およびアルミニウムクロロハイドレートなどの無機金属塩、またはアクリル酸系ポリマー、アクリルアミド系ポリマー、重合アミン、アルカノールアミン、チオカルバメート、およびジアリルジメチルアンモニウムクロリド（ＤＡＤＭＡＣ）などのようなカチオン性ポリマーなどの有機ポリマーが挙げられるが、これらに限定されない。
【００６７】
防食組成物の成分は分散剤を含むことができる。防食組成物は、防食組成物の総重量に基づいて、約０．１〜１０重量％、約０．５〜５重量％、または約０．５〜４重量％の分散剤を含むことができる。適切な分散剤としては、ヒドロキシエチルジホスホン酸などのような２〜５０個の炭素を有する脂肪族ホスホン酸、および少なくとも１つのメチレンホスホン酸基を有する２〜１０個のＮ原子を有するポリアミノメチレンホスホネートなどのアミノアルキルホスホン酸が挙げられ、後者の例は、エチレンジアミンテトラ（メチレンホスホネート）、ジエチレントリアミンペンタ（メチレンホスホネート）、および各Ｎ原子間に２〜４個のメチレン基を有し、各ホスホネートにおける少なくとも２個のメチレン基が違なるトリアミン−およびテトラアミン−ポリメチレンホスホネートであるが、これらに限定されない。他の適切な分散剤には、リグニン、またはリグノスルホネートなどのリグニンの誘導体ならびにナフタレンスルホン酸および誘導体が含まれる。
【００６８】
防食組成物の成分は硫化水素捕捉剤を含むことができる。防食組成物は、防食組成物の総重量に基づいて、約１〜５０重量％、約１〜４０重量％、または約１〜３０重量％の硫化水素捕捉剤を含むことができる。適切な追加の硫化水素捕捉剤としては、酸化剤（例えば、過酸化ナトリウムまたは二酸化塩素などの無機過酸化物）、アルデヒド（例えば、ホルムアルデヒド、グリオキサール、グルタルアルデヒド、アクロレイン、またはメタクロレインなどの炭素数１〜１０のもの）、トリアジン（例えば、モノエタノールアミントリアジン、モノメチルアミントリアジン、および複数のアミンからのトリアジンまたはこれらの混合物）、二級または三級アミンとアルデヒドとの縮合生成物、およびアルキルアルコールとアルデヒドとの縮合生成物が挙げられるが、これらに限定されない。
【００６９】
防食組成物の成分はガスハイドレート抑制剤を含むことができる。防食組成物は、防食組成物の総重量に基づいて、約０．１〜２５重量％、約０．１〜２０重量％、または約０．３〜２０重量％のガスハイドレート抑制剤を含むことができる。適切なガスハイドレート抑制剤としては、熱力学的ハイドレート抑制剤（ＴＨＩ）、動的ハイドレート抑制剤（ＫＨＩ）、および凝集防止剤（ＡＡ）が挙げられるが、これらに限定されない。適切な熱力学的ハイドレート抑制剤としては、塩化ナトリウム、塩化カリウム、塩化カルシウム、塩化マグネシウム、臭化ナトリウム、ギ酸塩ブライン（例えばギ酸カリウム）、ポリオール（グルコース、スクロース、フルクトース、マルトース、ラクトース、グルコン酸塩、モノエチレングリコール、ジエチレングリコール、トリエチレングリコール、モノプロピレングリコール、ジプロピレングリコール、トリプロピレングリコール、テトラプロピレングリコール、モノブチレングリコール、ジブチレングリコール、トリブチレングリコール、グリセロール、ジグリセロール、トリグリセロール、および糖アルコール（例えば、ソルビトール、マンニトール）など）、メタノール、プロパノール、エタノール、グリコールエーテル（ジエチレングリコールモノメチルエーテル、エチレングリコールモノブチルエーテルなど）、およびアルコールのアルキルエステルまたは環状エステル（乳酸エチル、乳酸ブチル、安息香酸メチルエチルなど）が挙げられるが、これらに限定されない。
【００７０】
防食組成物の成分は動的ハイドレート抑制剤を含むことができる。防食組成物は、防食組成物の総重量に基づいて、約５〜３０重量％、約５〜２５重量％、または約１０〜２５重量％の動的ハイドレート抑制剤を含むことができる。適切な動的ハイドレート抑制剤および凝集防止剤としては、ポリマーおよびコポリマー、多糖類（ヒドロキシエチルセルロース（ＨＥＣ）、カルボキシメチルセルロース（ＣＭＣ）、デンプン、デンプン誘導体、およびキサンタンなど）、ラクタム（ポリビニルカプロラクタム、ポリビニルラクタムなど）、ピロリドン（種々の分子量のポリビニルピロリドンなど）、界面活性剤（脂肪酸塩、エトキシル化アルコール、プロポキシル化アルコール、ソルビタンエステル、エトキシル化ソルビタンエステル、脂肪酸のポリグリセリンエステル、アルキルグルコシド、アルキルポリグルコシド、アルキルサルフェート、アルキルスルホネート、アルキルエステルスルホネート、アルキル芳香族スルホネート、アルキルベタイン、アルキルアミドベタインなど）、炭化水素系分散剤（リグノスルホネート、イミノジサクシネート、ポリアスパルテートなど）、アミノ酸、ならびにタンパク質が挙げられるが、これらに限定されない。
【００７１】
防食組成物の成分は殺生物剤を含むことができる。防食組成物は、組成物の総重量に基づいて、約０．１〜１０重量％、約０．５〜５重量％、または約０．５〜４重量％の殺生物剤を含むことができる。適切な殺生物剤としては、酸化性および非酸化性殺生物剤が挙げられるが、これらに限定されない。適切な非酸化性殺生物剤としては、例えば、アルデヒド（例えば、ホルムアルデヒド、グルタルアルデヒド、およびアクロレイン）、アミン型化合物（例えば、四級アミン化合物およびココジアミン）、ハロゲン化化合物（例えば、２−ブロモ−２−ニトロプロパン−３−ジオール）（Ｂｒｏｎｏｐｏｌ）および２  ２ジブロモ−３−ニトリロプロピオンアミド（ＤＢＮＰＡ）、硫黄化合物（例えば、イソチアゾロン、カルバメート、およびメトロニダゾール）、および四級ホスホニウム塩（例えば、テトラキス（ヒドロキシメチル）−ホスホニウムサルフェート（ＴＨＰＳ））が挙げられる。適切な酸化殺生物剤としては、例えば、次亜塩素酸ナトリウム、トリクロロイソシアヌル酸、ジクロロイソシアヌル酸、次亜塩素酸カルシウム、次亜塩素酸リチウム、塩素化ヒダントイン、安定化次亜臭素酸ナトリウム、活性臭化ナトリウム、臭素化ヒダントイン、二酸化塩素、オゾン、および過酸化物が挙げられる。
【００７２】
防食組成物の成分はｐＨ調整剤を含むことができる。防食組成物は、防食組成物の総重量に基づいて、約０．１〜２０重量％、約０．５〜１０重量％、または約０．５〜５重量％のｐＨ調整剤を含むことができる。適切なｐＨ調整剤は、アルカリ水酸化物、アルカリ炭酸塩、アルカリ重炭酸塩、アルカリ土類金属水酸化物、アルカリ土類金属炭酸塩、アルカリ土類金属重炭酸塩、およびこれらの混合物または組み合わせを含むが、これらに限定されない。例示的なｐＨ調整剤としては、水酸化ナトリウム、水酸化カリウム、水酸化カルシウム、酸化カルシウム、炭酸ナトリウム、炭酸カリウム、炭酸水素ナトリウム、炭酸水素カリウム、酸化マグネシウム、および水酸化マグネシウムが挙げられる。
【００７３】
防食組成物の成分は界面活性剤を含むことができる。防食組成物は、防食組成物の総重量に基づいて、約０．１〜１０重量％、約０．５〜５重量％、または約０．５〜４重量％の界面活性剤を含むことができる。適切な界面活性剤としては、アニオン性界面活性剤および非イオン性界面活性剤が挙げられるが、これらに限定されない。アニオン性界面活性剤としては、アルキルアリールスルホネート、オレフィンスルホネート、パラフィンスルホネート、アルコールサルフェート、アルコールエーテルサルフェート、アルキルカルボキシレートおよびアルキルエーテルカルボキシレート、ならびにアルキルおよびエトキシル化アルキルリン酸エステル、ならびにモノおよびジアルキルスルホサクシネートおよびスルホサクシネートが挙げられる。非イオン性界面活性剤としては、アルコールアルコキシレート、アルキルフェノールアルコキシレート、エチレン、プロピレンおよびブチレンオキシドのブロックコポリマー、アルキルジメチルアミンオキシド、アルキルビス（２−ヒドロキシエチル）アミンオキシド、アルキルアミドプロピルジメチルアミンオキシド、アルキルアミドプロピルビス（２−ヒドロキシエチル）アミンオキシド、アルキルポリグルコシド、ポリアルコキシル化グリセリド、ソルビタンエステルおよびポリアルコキシル化ソルビタンエステル、ならびにアルコイルポリエチレングリコールエステルおよびジエステルが挙げられる。ベタインおよびスルタン（ｓｕｌｔａｎｅ）、両性界面活性剤、例えばアルキルアンホアセテートおよびアンホジアセテート、アルキルアンホプロピオネートおよびアンホジプロピオネート、ならびにアルキルイミノジプロピオネートなども含まれる。
【００７４】
パラフィン抑制剤組成物は、有益な特性を提供する追加の機能剤または添加剤をさらに含み得る。例えば、追加の薬剤または添加剤は、金属イオン封鎖剤、可溶化剤、潤滑剤、緩衝剤、洗浄剤、リンス助剤、保存剤、結合剤、増粘剤もしくは他の粘度調整剤、加工助剤、担体、水質調整剤、発泡防止剤もしくは発泡剤、スレッショルド剤（ｔｈｒｅｓｈｏｌｄ  ａｇｅｎｔ）もしくは系、審美的増強剤（すなわち、染料、着臭剤、香料）、または腐食抑制剤組成物を用いた配合に適した他の添加剤、およびこれらの混合物であり得る。追加の薬剤または添加剤は、製造されている特定の腐食抑制剤組成物および当業者としてのその意図された用途に従って変化するであろう。
【００７５】
あるいは、防食組成物は、追加の薬剤または添加剤のいずれも含まなくてもよい。
【００７６】
防食組成物は、有益な特性を提供する追加の機能剤または添加剤をさらに含み得る。存在する場合、追加の薬剤または添加剤の量は、製造されている特定の組成物および当業者としてのその意図された用途によって変化するであろう。
【００７７】
組成物は、上記のように成分を組み合わせることによって調製することができる。
【００７８】
これらの組成物は、元素硫黄またはポリスルフィドを含有する炭化水素流体の回収、輸送、精製または貯蔵に使用される金属表面の腐食を低減、抑制または防止するために使用することができる。この方法は、本明細書に記載の組成物のいずれかを金属表面と接触させて金属表面の腐食を低減、抑制または防止することを含む。
【００７９】
組成物は、塩水またはブラインと接触する金属表面からの腐食を抑制することが望ましいあらゆる産業において使用することができる。
【００８０】
組成物は、水系、復水、油、およびガス系、またはこれらの組み合わせで使用することができる。組成物は、製造されたガスまたは液体に適用する、または原油または天然ガスの製造、輸送、貯蔵、精製または分離に使用することができる。組成物は、石炭火力発電所のような石炭火力プロセスで使用されるかまたは製造されるガス流に適用することができる。
【００８１】
さらに、組成物は、廃水プロセス、農場、食肉処理場、埋め立て地、地方自治体廃水プラント、コークス用炭プロセス、またはバイオ燃料プロセスで製造または使用されるガスまたは液体に適用することができる。
【００８２】
組成物は、容器、加工施設、または食品サービスまたは食品加工産業で使用される機器における腐食防止に有用である。この組成物は、食品包装材料および機器と共に使用するのに、そして特に低温または高温無菌包装に使用するのに特に価値がある。組成物を使用することができる加工設備の例には、ミルクライン乳加工場、連続醸造系、食品加工ライン（例えば、汲み上げ可能な食品系、汲み上げ可能な飲料ライン、食器洗い機、低温食器洗い機、食器類、ボトル洗い機、ボトルチラー、ウォーマー、サードシンクウォッシャー（ｔｈｉｒｄ  ｓｉｎｋ  ｗａｓｈｅｒ））、加工機器（例えば、タンク、バット、ライン、ポンプ、ホース、または乳製品加工機器）が含まれるこの組成物は運搬用車両にも使用できる。
【００８３】
さらに、本組成物は、清涼飲料材料の製造および貯蔵に使用されるタンク、ライン、ポンプ、または他の機器、ならびに飲料用の瓶詰めまたは容器における腐食を抑制するために使用することができる。
【００８４】
組成物はまた、他の工業機器上または他の工業プロセスの流れ、例えばヒーター、冷却塔、ボイラー、レトルト水、すすぎ水、無菌包装洗浄水などに使用することもできる。
【００８５】
また、組成物は、プール、スパ、レクリエーション水路、ウォータースライド、噴水などのレクリエーション水中の表面を処理するために使用することができる。
【００８６】
これらの組成物は、清掃またはハウスキーピング用途、食品加工機器、プラント用途、または洗濯用途に見られる表面用のクリーナーと接触する金属表面の腐食を抑制するために使用することができる。例えば、布地を洗浄するためのトンネル式洗浄機などの洗浄機の腐食は、本明細書に開示されている方法に従って抑制することができる。
【００８７】
組成物は、低温皿または食器用消毒用最終リンス、便器用洗剤、または洗濯用漂白剤と組み合わせて使用または適用することができる。
【００８８】
定義
別途指示がない限り、本明細書に記載のアルキル基は、単独でまたは別の基の一部として、１〜３０個の炭素原子、好ましくは、主鎖中に１〜３０個の炭素原子、もしくは主鎖中に１〜２０個の炭素原子を含む任意に置換された直鎖飽和一価炭化水素置換基であるか、または、主鎖中に３〜３０個の炭素原子、好ましくは、主鎖中に３〜２０個の炭素原子を含む任意に置換された分岐鎖飽和一価炭化水素置換基である。非置換アルキル基の例としては、メチル、エチル、ｎ−プロピル、ｉ−プロピル、ｎ−ブチル、ｉ−ブチル、ｓ−ブチル、ｔ−ブチル、ｎ−ペンチル、ｉ−ペンチル、ｓ−ペンチル、ｔ−ペンチルなどが挙げられる。
【００８９】
「置換アルキル」などでの「置換された」という用語とは、当該基（すなわち、この用語に続くアルキル、アルケニル、または他の基）において、炭素原子に結合した少なくとも１つの水素原子が、ヒドロキシ（−ＯＨ）、アルキルチオ、ホスフィノ、アミド（−ＣＯＮ（ＲA）（ＲB）（式中、ＲAおよびＲBは独立して、水素、アルキル、またはアリールである））、アミノ（−Ｎ（ＲA）（ＲB）（式中、ＲAおよびＲBは独立して、水素、アルキル、アリール、シクロアルキルまたはヘテロシクロである））、ハロ（フルオロ、クロロ、ブロモ、またはヨード）、シリル、ニトロ（−ＮＯ2）、エーテル（−ＯＲA（式中、ＲAは、アルキル、または、アリールである））、エステル（−ＯＣ（Ｏ）ＲA（式中、ＲAは、アルキル、またはアリールである））、ケト（−Ｃ（Ｏ）ＲA（式中、ＲAは、アルキル、またはアリールである））、ヘテロシクロなどの１つ以上の置換基で置換されていることを意味する。「置換された」という用語が可能性のある置換基のリストを導入する場合、当該用語は、その基の各メンバーに適用されることが意図される。すなわち、「任意に置換されたアルキルまたはアリール」という語句は、「任意に置換されたアルキルまたは任意に置換されたアリール」と解釈されるべきである。
【００９０】
本明細書において、単独でまたは他の基の一部として使用される「アリール」という用語は、任意に置換された１価の芳香族炭化水素基、好ましくは、フェニル、ビフェニル、ナフチル、置換フェニル、置換ビフェニル、または、置換ナフチルなどの環部分に６〜１２個の炭素を含む１価の単環式または二環式基を示す。フェニルおよび置換フェニルが、さらに好ましいアリール基である。「アリール」という用語は、ヘテロアリールも含む。
【００９１】
本明細書で使用される「ハロ」または「ハロゲン」という用語は、フルオロ、クロロ、ブロモ、またはヨードラジカルを指す。
【００９２】
本明細書で使用される「水素化」という用語は、１つ以上の二重結合を横切る１つ以上の水素原子の付加を指す。
【００９３】
「リン」という用語は、リンだけでなく、リン含有添加剤、リン誘導体なども含むことを意図している。他の態様では、組成物はリンを全く含まない。
【００９４】
本発明を詳細に説明してきたが、添付の特許請求の範囲に記載の本発明の範囲から逸脱することなく、修正および変更が可能であることは明らかであろう。
【実施例】
【００９５】
以下の非限定的な実施例は、本発明をさらに説明するために提供される。
【００９６】
実施例１：重量損失試験
１５重量％のフルオロ無機アニオン（製品番号ＥＣ６６９７ＡとしてＮａｌｃｏ  Ｃｈａｍｐｉｏｎから市販されている）のアリコート（４００ｍＬ）を６００ｍＬのガラス内張りのＰａｒｒ反応器に入れた。腐食抑制剤、ブチルベンゾトリアゾール、塩素化トリルトリアゾール、またはブチルベンゾトリアゾール、水素化トリルトリアゾールおよびベンゾトリアゾールの混合物を様々な量でＰａｒｒ反応器に添加した（表１参照）。地下条件をシミュレートするために、カルシウムイオンとして１２０ｍｇ／Ｌのカルシウム（および塩化物対イオン）および塩化物イオンとして２０００ｍｇ／Ｌの塩化物（ナトリウム対イオンを含む）を添加した。約７５×１３×１．５ｍｍの２つの予め秤量した軟鋼クーポンを流体中に吊り下げた。反応器を閉じ、ヘッドスペースを窒素で５分間穏やかにパージした。反応器を１３０℃に４７時間加熱し、次いで室温に冷却した。反応器が室温に戻ったら、軟鋼クーポンを取り出し、脱イオン水ですすぎ、そして秤量した。重量損失は、予めの秤量から最終秤量を差し引くことによって計算した。
【００９７】
腐食速度は以下の式を用いて決定した。
腐食速度＝（Ｋ・Ｗ）／（Ａ・Ｔ・Ｄ）
ここで、Ｋは定数（３．４５×１０6ミル・ｈｒ・ｃｍ-1・ｙｒ-1）であり、Ｗはグラム単位の質量損失であり、Ａはｃｍ2での面積であり、Ｔは時間単位の暴露時間であり、Ｄはｇ／ｃｍ3での密度である。
【００９８】
重量損失試験の結果を表１に列挙する。
【表１】
2019523347.tif 000007
【００９９】
実施例２：腐食試験
腐食試験は、長さ１．２７ｃｍ（０．５インチ）および外径１．２７ｃｍ（０．５インチ）（５ｃｍ2）の炭素鋼（Ｃ１０１０）電極を備えたポテンショスタット（Ｇａｍｒｙ  Ｉｎｓｔｒｕｍｅｎｔｓ、ペンシルバニア州ウォーミンスター）を用いて実施した。電極をＰＩＮＥ回転子上に組み立て、水中に浸漬した。回転子を６００ｒｐｍで回転させて毎秒３〜５フィートの流速をシミュレートした。回転子に接続されたポテンショスタットは、制御された設定で金属の電位を変えることができ、加えられた電位の関数として電流を測定する。試験は４８時間行った。
【０１００】
これらの試験中、電極は±１０ｍＶで分極した。分極は、開路電位（ＯＣＰ）と呼ばれる、試料を通って流れる電流がないときに測定された電位に対して相対的であった。
【０１０１】
炭素鋼電極の電位が変化するにつれて、作用電極（炭素鋼）と対電極との間に電流が流れるように誘導された。分極に対する炭素鋼の抵抗は、電位対電流曲線の勾配をとることによって見出された。次に、この抵抗を用いてＳｔｅｒｎ−Ｇｅａｒｙの式を使って材料の腐食速度を求めた。
【０１０２】
ハロゲン化トリルトリアゾール、ハロゲン化ベンゾトリアゾール、ブチルベンゾトリアゾール、水素化トリアゾール、およびこれらのブレンドを含む薬剤は、同様の腐食試験を受けることができる。ある場合には、ポリマレイン酸およびアクリル酸とアクリルアミドｔ−ブチルスルホン酸（ＡＴＢＳ）のコポリマーを含む分散剤のブレンドを１１ｐｐｍまたは２２ｐｐｍのいずれかで表２の組成の合成水中に投入した。標準１３水は、２５０ガロンの水中で２０８．５ｇのＣａＣｌ2．２Ｈ2Ｏ、１７４．８ｇのＭｇＳＯ4．７Ｈ2Ｏ、１７４．９ｇのＮａＨＣＯ3および４００ｐｐｍのＮａＣｌからの塩化物イオンを組み合わせることによって調製した。
【表２】
2019523347.tif 000008
【０１０３】
腐食試験は標準１３水中、５０℃で実施した。さらに、ＮａＣｌとして４００ｐｐｍのＣｌを添加して、水を標準１３水よりも腐食性にした。
【表３】
2019523347.tif 000009
【０１０４】
本発明またはその好適な実施形態の要素を導入するとき、冠詞「ａ」、「ａｎ」、「ｔｈｅ」、および、「ｓａｉｄ」は、要素のうちの１つ以上が存在することを意味することが意図される。「〜を含む／備える（ｃｏｍｐｒｉｓｉｎｇ）」、「〜を含む（ｉｎｃｌｕｄｉｎｇ）」、および「〜を有する（ｈａｖｉｎｇ）」という用語は、包括的であることが意図され、そこに列挙されている要素以外の追加の要素が存在し得ることを意味する。
【０１０５】
上記した事項に鑑みれば、本発明のいくつかの目的が達成され、かつ他の有益な結果が獲得されることが分かるであろう。
【０１０６】
本発明の範囲から逸脱することなく、上記の化合物および方法に様々な変更が加えられ得るため、上記の説明に含まれるすべての事項は、例示的なものであって、限定的な意味ではないと解釈されるべきとすることが意図される。
【手続補正書】
【提出日】平成31年4月3日(2019.4.3)
【手続補正１】
【補正対象書類名】特許請求の範囲
【補正対象項目名】全文
【補正方法】変更
【補正の内容】
【特許請求の範囲】
【請求項１】
金属腐食を防止する方法であって、前記方法は金属と接触する水性系と有効量の防食組成物を接触させることを含み、前記防食組成物は、アルキルベンゾトリアゾール、アルキルトリルトリアゾール、アルコキシベンゾトリアゾール、アルコキシトリルトリアゾール、ニトロベンゾトリアゾール、ニトロトリルトリアゾール、ハロベンゾトリアゾール、ハロトリルトリアゾール、水素化ベンゾトリアゾール、水素化トリルトリアゾール、これらの酸もしくは塩、またはこれらの組み合わせを含み、前記水性系はブラインを含み、酸性ｐＨを有する、方法。
【請求項２】
ブラインを含み、酸性ｐＨを有し、金属と接触している水性系における金属腐食を防止するための防食組成物の使用であって、前記防食組成物は、アルキルベンゾトリアゾール、アルキルトリルトリアゾール、アルコキシベンゾトリアゾール、アルコキシトリルトリアゾール、ニトロベンゾトリアゾール、ニトロトリルトリアゾール、ハロベンゾトリアゾール、ハロトリルトリアゾール、水素化ベンゾトリアゾール、水素化トリルトリアゾール、これらの酸もしくは塩、またはこれらの組み合わせを含む、使用。
【請求項３】
前記アルキルベンゾトリアゾールが、ブチルベンゾトリアゾール、ペンチルベンゾトリアゾール、ヘキシルベンゾトリアゾール、ヘプチルベンゾトリアゾール、オクチルベンゾトリアゾール、またはこれらの組み合わせである、請求項１または２に記載の方法または使用。
【請求項４】
前記アルキルトリルトリアゾールは、ブチルトリルトリアゾール、ペンチルトリルトリアゾール、ヘキシルトリルトリアゾール、ヘプチルトリルトリアゾール、オクチルトリルトリアゾール、またはそれらの組み合わせである、請求項１または２に記載の方法または使用。
【請求項５】
前記アルコキシベンゾトリアゾールは、ブトキシベンゾトリアゾール、ペントキシベンゾトリアゾール、ヘキソキシベンゾトリアゾール、ヘプトキシベンゾトリアゾール、オクトキシベンゾトリアゾール、またはこれらの組み合わせであり、ニトロベンゾトリアゾールは、３−ニトロベンゾトリアゾール、４−ニトロベンゾトリアゾール、５−ニトロベンゾトリアゾール、６−ニトロベンゾトリアゾール、またはこれらの組み合わせである、請求項１または２に記載の方法または使用。
【請求項６】
前記ハロベンゾトリアゾールは、３?ハロベンゾトリアゾール、４?ハロベンゾトリアゾール、５?ハロベンゾトリアゾール、６?ハロベンゾトリアゾール、またはこれらの組み合わせである、請求項１または２に記載の方法または使用。
【請求項７】
前記水素化ベンゾトリアゾールは、前記ベンゾトリアゾールの１つ以上の二重結合を横切って付加された１個以上の追加の水素原子を有する、請求項１または２に記載の方法または使用。
【請求項８】
前記水素化トリルトリアゾールは、前記トリルトリアゾールの１つ以上の二重結合を横切って付加された１個以上の追加の水素原子を有する、請求項１または２に記載の方法または使用。
【請求項９】
前記水性系は、約２，０００〜約１００，０００マイクロモー／ｃｍの導電率を有する、請求項１〜８のいずれか一項に記載の方法または使用。
【請求項１０】
前記水性系は、２未満のｐＨを有する、請求項１〜９のいずれか一項に記載の方法または使用。
【請求項１１】
前記水性系は、約１２０℃〜約３００℃の温度を有する、請求項１〜１０のいずれか一項に記載の方法または使用。
【請求項１２】
前記水性系を、フルオロ無機アニオンを有する窒素塩基の塩とさらに接触させ、前記フルオロ無機アニオンはホウ酸アニオンであり、前記窒素塩基は尿素を含む、請求項１〜１１のいずれか一項に記載の方法または使用。
【請求項１３】
前記フルオロ無機アニオンはテトラフルオロホウ酸塩を含み、前記窒素塩基は尿素を含み、前記塩を調製するために使用される尿素対テトラフルオロホウ酸塩のモル比は１：３〜３：１である、請求項１２に記載の方法または使用。
【請求項１４】
前記金属は、炭素鋼を含む、請求項１〜１３のいずれか一項に記載の方法または使用。
【請求項１５】
前記金属が機器内に収容されており、前記機器が、蒸発器、砂糖製造系、エタノール製造系、蒸気発生器、熱回収系、または軟水化装置である、請求項１〜１４に記載の方法または使用。
【国際調査報告】
2019523347.tif 000010
2019523347.tif 000011
2019523347.tif 000012